(57)【特許請求の範囲】
【請求項１】
装置本体と、この装置本体に回転自在に取付けた巻取りパイプ８と、装置本体に折曲自在に取付けたアーム９と、装置本体に取付けられて巻取りパイプ８を回転するモータ４０と、前記アーム９の先端部に取付けた前枠１０と、この前枠１０に連結されて巻取りパイプ８に巻掛けしたテント１１と、前記前枠１０に取付けられてテント１１が所定量吹き上げられたことを検出するテント吹き上り検出機構８０と、このテント吹き上り検出機構８０の検出信号で前記モータ４０を駆動して巻取りパイプ８を巻き取り回転する制御部で構成し、
前記テント吹き上り検出機構８０は、取付体８１と、リミットスイッチ８２と、その取付体８１に上下動自在に設けられ通常時にはテント１１の張力で下方に移動し、テント１１が吹き上げられると上方に移動して前記リミットスイッチ８２をＯＮする作動体を備えていることを特徴とする日除け装置。
【請求項２】
前記テント吹き上り検出機構８０は、その作動体が取付体８１に上下動自在に設けられリミットスイッチ８２の作動部８２ａと離隔し、この作動体を上方に移動してテント１１に押しつけるスプリング９４と、前記作動体とリミットスイッチ８２の作動部８２ａを連結する可動片９５を備え、通常時にはテント１１の張力で作動体がスプリング９４に抗して下方に移動し、テント１１が吹き上げられると作動体がスプリング９４で上方に移動してリミットスイッチ８２がＯＮする構成とした請求項１記載の日除け装置。
【発明の詳細な説明】
【０００１】
【発明の属する技術分野】
本発明は、建物躯体等に取付けられるオーニング装置と呼ばれる日除け装置に関する。
【０００２】
【従来の技術】
建物躯体等に取付けられる日除け装置としては、本体、この本体に取付けた巻取りパイプ、本体に取付けた折曲するアーム、このアームに連結した前枠、テント等を備え、このテントの一端縁を巻取りパイプに巻き掛け、そのテントの他端縁を前枠に連結し、アームが折曲することで前枠が移動してテントを張り出し、収納するオーニング装置と呼ばれる日除け装置が提案されている。
【０００３】
前述の日除け装置はテントを張り出した状態で強風が作用するとテントが吹き上げられ、テントによってアームに上向き力が作用するので、アームに無理な力が作用して破損等する恐れがある。
【０００４】
このことを解消するために、実開平３−３７１２３号公報に示す日除け装置が提案されている。この日除け装置は、アームの振動または傾斜を検出するセンサと、このセンサが検出したアームの振動または傾斜が設定値を超えたときに巻取りパイプを巻取り回転してテントを収納する制御手段を備え、テントが張り出した状態で強風が作用した時にテントを自動的に収納することができる。
【０００５】
【発明が解決しようとする課題】
前述の日除け装置のセンサはアームの本体取付部の振動または傾斜を検出するので、強風でテントが吹き上げられ、そのテントによってアームに上向き力が作用してアームが本体に対して振動または傾斜してから巻取りパイプが巻取り駆動するので、アームにある程度の大きさの上向き力が作用してからテントが収納される。
【０００６】
このために、アームにはある程度の大きさの無理な力が作用するので、アームの耐久性が低下し、長期間に亘って複数回強風が作用するとアームを破損等する恐れがある。
【０００７】
例えば、アームの折曲部にはガタがあり、テントを張った状態でそのガタによってアームの折曲部よりも前方部分が若干下向きに揺動し、前枠は若干下方に動いた状態となっている。強風が作用してテントが吹き上げられると前述のガタに相当するだけアームの折曲部よりも前方部分が上方に揺動する。この時にはアームの折曲部よりも後方部分が上方に揺動しないのでセンサが検出作動しない。この状態でより強い強風が作用した時にアーム全体が上方に揺動してセンサが検出作動する。
【０００８】
このようであるから、テントにある程度以上の強風が作用しないとセンサが検出作動しないので、アームにある程度の大きさの無理な力が作用する。
【０００９】
そこで、本発明は前述の課題を解決できるようにした日除け装置を提供することを目的とする。
【００１０】
【課題を解決するための手段】
第１の発明は、装置本体と、この装置本体に回転自在に取付けた巻取りパイプ８と、装置本体に折曲自在に取付けたアーム９と、装置本体に取付けられて巻取りパイプ８を回転するモータ４０と、前記アーム９の先端部に取付けた前枠１０と、この前枠１０に連結されて巻取りパイプ８に巻掛けしたテント１１と、前記前枠１０に取付けられてテント１１が所定量吹き上げられたことを検出するテント吹き上り検出機構８０と、このテント吹き上り検出機構８０の検出信号で前記モータ４０を駆動して巻取りパイプ８を巻き取り回転する制御部で構成し、
前記テント吹き上り検出機構８０は、取付体８１と、リミットスイッチ８２と、その取付体８１に上下動自在に設けられ通常時にはテント１１の張力で下方に移動し、テント１１が吹き上げられると上方に移動して前記リミットスイッチ８２をＯＮする作動体を備えていることを特徴とする日除け装置である。
【００１１】
第２の発明は、第１の発明における前記テント吹き上り検出機構８０は、その作動体が取付体８１に上下動自在に設けられリミットスイッチ８２の作動部８２ａと離隔し、この作動体を上方に移動してテント１１に押しつけるスプリング９４と、前記作動体とリミットスイッチ８２の作動部８２ａを連結する可動片９５を備え、通常時にはテント１１の張力で作動体がスプリング９４に抗して下方に移動し、テント１１が吹き上げられると作動体がスプリング９４で上方に移動してリミットスイッチ８２がＯＮする構成とした日除け装置である。
【００１２】
【作    用】
第１の発明によれば、テント１１を張った状態で強風によりテント１１が所定量浮き上るとテント１１を自動的に収納できる。
また、テント吹き上り検出機構８０は前枠１０に取付けてあるし、テント１１はアーム９の折曲部よりも前方部分がガタによる上方への揺動量に見合うだけ吹き上げられた後にアーム９全体の上方への揺動によって更に吹き上げられるので、テント１１はアーム９に作用する無理な力に見合うよりも余分に吹き上げられる。
したがって、テント１１が所定量吹き上げられた時にアーム９に作用する無理な力が小さく、耐久性が向上する。
【００１３】
第２の発明によれば、リミットスイッチ８２がＯＮする作動体の上下移動量が大きく、テントが振動などで僅かに振れ動いた時にはリミットスイッチ８２がＯＮしないので、信頼性が向上する。
【００１４】
【発明の実施の形態】
図１と図２と図３に示すように、左右の取付ブラケット１と複数の中間ブラケット２と上面板３と下面板４と左右のサイドキャップ５で前部寄りに開口部６を有するケース７を形成している。なお、サイドキャップ５は取付けなくとも良い。このケース７内に巻取りパイプ８、左右一対の折曲するアーム９、一対のアーム９間に連結された前枠１０が収納されて、テント１１の一端縁を巻取りパイプ９に巻掛けると共に、テント１１の他端縁を前枠１０に連結して日除けユニット１２を形成している。
【００１５】
建物躯体Ａにベースプレート１３が取付けてあり、このベースプレート１３に左右の取付ブラケット１を仮固定すると共に、固着具１４を建物躯体Ａに固着して日除けユニット１２をベースプレート１３に取付けることで日除け装置としてある。つまり、ケース７とベースプレート１３で装置本体を形成する。
【００１６】
前記取付ブラケット１は図２と図４に示すように、幅狭で長尺な本体２０と、この本体２０の後端部（建物躯体側）に一体的に設けた取付体２１を有する。この取付体２１の上部には下向き鉤形状の係合部２２が幅方向に連続して一体的に設けてある。前記取付体２１は本体２０よりも外方に突出した装着部２３を有し、この装着部２３の上下に固着具１４が挿通する固着用孔２４が形成してある。
【００１７】
前記中間ブラケット２は図３と図４に示すように、幅狭薄板状の縦部２５、上横向部２６、下横向部２７でほぼコ字状で、縦部２５の上端部に下向き鉤形状の係合部２８が一体的に設けられ、下端部に鉤形状の下係止受部２９が一体的に設けてある。上横向部２６の突出端部には鉤形状の上係止受部３０が一体的に設けてあると共に、上横向部２６の縦部寄りに鉤形状の上取付部３１が一体的に設けてある。下横向部２７の突出端部に鉤形状の下取付部３２が一体的に設けてある。
【００１８】
前記上面板３は図２、図３、図４に示すように、鉤形状の係止部３３を中間ブラケット２の上係止受部３０に係止して位置決めされ、中間ブラケット２の上取付部３１にビス３４で固着されると共に、取付ブラケット１の本体２０の上面にビス３５で固着される。
【００１９】
前記下面板４は図２、図３、図４に示すように、中間ブラケット２の下係止受部２９に上下揺動自在に係止した係止部３６を有し、取付ブラケット１の本体２０にビス３７で固着されると共に、中間ブラケット２の下取付部３２にビス３８で固着される。
【００２０】
前記サイドキャップ５は上面板３と下面板４の左右方向端部に嵌め込みされ、ホップナットリベットなどの固着具３９で上面板３、下面板４に固着され、このサイドキャップ５は日除けユニット１２を組立てた後に取付可能、つまり後付け可能である。
【００２１】
前記巻取りパイプ８の一端寄り内部には図１と図５に示すようにモータ４０がクラウン４１を介して挿入され、回転部４０ａがアダプター４２で巻取りパイプ８に固定される。モータ４０はユニバーサルブラケット４３、モータヘッド４４、ホルダー４５で一方の取付ブラケット１の本体２０の半円形凹部２０ａに固定される。巻取りパイプ８の他端部内にパイプエンド４６が取付けられ、そのパイプエンド４６が他方の取付ブラケット１に回転自在に取付けられる。これによりモータ４０で巻取りドラム８が回転駆動される。
【００２２】
前記アーム９は図１と図５に示すように、第１アーム５０と第２アーム５１を第１縦ピン５２で第１アーム５０と第２アーム５１が重なり合った折り畳み状態と、第１アーム５０と第２アーム５１がほぼ一直線状となった状態とに折曲自在に連結してある。前記第１アーム５０にブラケット５３が第２縦ピン５４で揺動自在に連結してあり、このブラケット５３からボルト５５を取付ブラケット１の本体２０に形成した孔５６に挿通し、ナット５７を螺合することで第１アーム５０を第２縦ピン５４の回りに揺動自在に取付ブラケット１に連結している。前記第１アーム５０の中空部内に設けたスプリング５８が第２縦ピン５４に連結され、そのスプリング５８に索条５９が連結してあり、この索条５９が第２アーム５１に連結されて第１アーム５０と第２アーム５１はほぼ一直線状の状態となっている。
【００２３】
前記第２アーム５１に取付片６０が第３縦ピン６１で揺動自在に連結され、この取付片６０に前枠１０がボルト６２で取付けてある。このようであるから、前枠１０は左右のアーム９と共にケース７内に収納される位置とケース７の開口部６より外方に突出した位置とに亘って平行移動する。
【００２４】
前記前枠１０は中空形状で、その長手方向両端部には前枠キャップ６３が嵌合して取付けてある。この前枠キャップ６３には外面と内面に開口した凹部６４が形成してあり、この凹部６４が取付ブラケット１の本体２０の前端部（建物躯体と反対側）に一体的に設けたカム突起部６５に嵌まり合うようにしてある。
【００２５】
前記カム突起部６５の上面はほぼへの字形状で、連続した第１ガイド面６６と第２ガイド面６７を有している。第１ガイド面６６と第２ガイド面６７は水平に対して下向きに斜めとなり、その第１ガイド面６６の角度は第２ガイド面６７の角度よりも大きい。
【００２６】
このようであるから、巻取りパイプ８でテント１１を巻取りすると前枠１０が巻取りパイプ８側に向けて引張られ左右のアーム９が折り畳みされて前枠１０、アーム９がケース７内に収納され、前枠キャップ６３の凹部６４がカム突起部６５に嵌まり合う。
【００２７】
この時、アーム９、前枠１０の自重及びアーム９の連結部のガタ等によって前枠１０は図２に仮想線で示すように凹部６４とカム突起部６５が嵌まり合った状態よりも若干下方に垂れ下がった状態であり、前述のように前枠１０が引張られると前枠キャップ６３の凹部６４がカム突起部６５の第１ガイド面６６に接して順次持ち上げられ、第２ガイド面６７に接する。これによって垂れ下がっていた前枠１０を所定の高さ位置においてブラケット１で支持してケース７内に収納される。
【００２８】
また、巻取りパイプ８、アーム９、前枠１０はケース７内に収納された状態でほぼ水平方向に並設されているので、下面板４を下方に揺動してケース７の下面を開放することにより、巻取りパイプ８、アーム９、前枠１０等を点検・修理できる。
【００２９】
前記ベースプレート１３は図２、図３、図４に示すように、縦板状で、その上部寄りには上向鉤形片７０が一体的に設けられて被係合部７１を左右方向に連続して形成している。ベースプレート１３の左右両端寄りに上下一対の透孔７２が形成してある。
【００３０】
次に日除け装置を建物外壁に取付ける手順を説明する。
図６に示すように建物躯体Ａにベースプレート１３を固着具７３で取付ける。左右の取付ブラケット１、中間ブラケット２、上面板３、下面板４を連結してケース７を組み、そのケース７内に巻取りパイプ８、アーム９、前枠１０、テント１１等を取付けて日除けユニット１２を組み立てる。
【００３１】
図７に示すように、組み立てした日除けユニット１２の取付ブラケット１の係合部２２、中間部ブラケット２の係合部２８をベースプレート１３の被係合部７１に上から係合して日除けユニット１２を仮固定する。
日除けユニット１２を係合部をガイドとして左右に摺動することで取付ブラケット１の固着用孔２４とベースプレート１３の透孔７２を位置合わせする。
【００３２】
固着具１４を固着用孔２４、透孔７２を挿通して建物躯体Ａに固着することで日除けユニット１２を本固定する。この後に図８に示すようにサイドカバー５を日除けユニット１２の両端部に取付ける。
【００３３】
以上のように、ベースプレート１３を建物躯体Ａに取付け、組み立てした日除けユニット１２の取付ブラケット１の係合部２２をベースプレート１３の被係合部７１に係合して仮固定し、取付ブラケット１の装着部２３の固着用孔２４から固着具１４を建物躯体Ａに固着して本固定することで日除け装置を建物躯体に取付けできる。
【００３４】
このようであるから、日除けユニット１２を工場などであらかじめ組み立てし、取付け現場ではベースプレート１３を取付け、日除け１３を仮固定した状態で容易に本固定することができる。しかも、固着具１４は巻取りドラム８、アーム９、前枠１０と干渉しないから、アーム９、前枠１０をケース７内に収納した状態で本固定でき、本固定する時に風の影響を受けることができない。
これらが相俟って日除け装置を簡単に取付けできる。
【００３５】
以上の説明はテント１１を張り出し、収納する構成の一例を示すものであり、次に強風が作用した時にテント１１を自動的に収納する構成を説明する。
図１に示すように、前枠１０の長手方向モータ４０側の一端寄りにテント吹き上り検出機構８０が着脱自在に取付けてある。
【００３６】
前記テント吹き上り検出機構８０は図９、図１０に示すように、取付体８１とリミットスイッチ８２とカバー８３を備えている。前記前枠１０の巻取りパイプ側の一側縦面１０ａに凹条溝８４が長手方向に連続して有し、この凹条溝８４に挿入したナット部材８５に螺合したボルト８６で取付体８１、リミットスイッチ８２が前枠１０の一側縦面１０ａに長手方向に隣接してそれぞれ取付けてある。
【００３７】
前記カバー８３は上面板８７、下面板８８、第１縦板８９、相対向した一対の第２縦板９０で一面が開口した箱形状で、その第１縦板８９をボルト９１で取付けて取付体８１、リミットスイッチ８２をカバーしている。
【００３８】
前記取付体８１には上面と下面に開口した段付きの縦孔９２が形成してあり、その縦孔９２に作動体、例えばピン９３が上下動自在に嵌挿してある。このピン９３の上端部９３ａはカバー８０の上面板８７の孔８７ａを通って上方に突出し、ピン９３の下端部９３ｂは小径で縦孔９２の下部小径孔９２ａを通って取付体８１の下面よりも下方に突出している。
【００３９】
前記ピン９３はスプリング９４で上方に押されてテント１１に押しつけてある。前記リミットスイッチ８２の作動部８２ａに可動片９５が設けてあり、この可動片９５はピン９３の下端部９３ｂに連結してあり、その可動片９５が図１０に実線で示す斜めの第１の姿勢であるとリミットスイッチ８２はＯＦＦで、仮想線で示す水平の第２の姿勢であるとリミットスイッチ８２がＯＮとなる。
【００４０】
前記スプリング９４の取付荷重、つまりピン９３の押し上げ力はテント１１を張り出した状態でテント１１に作用する張力等でピン９３が図１０に実線で示す下方の位置に移動する程度の大きさである。これによって、強風でテント１１が吹き上げられてピン９３から離れるとピン９３はスプリング９４で上方に移動してテント１１と接する。
【００４１】
前記リミットスイッチ８２のＯＮ信号は図１１に示すようにコントローラ１００に入力される。このコントローラ１００はリミットスイッチ８２のＯＮ信号が入力されるとモータ４０を一方向に駆動し、巻取りパイプ８を巻取り回転してテント１１を巻き取って収納する。
【００４２】
前記コントローラ１００には第１のスイッチ１０１から通常時にテント１１を張り出しする信号が入力され、それによってモータ４０を他方向に駆動し、巻取りパイプ８を繰り出し回転してテント１１を張り出しする。
前記コントローラ１００には第２のスイッチ１０２から通常時にテント１１を収納する信号が入力され、それによってモータ４０を一方向に駆動し、巻取りパイプ８を巻取り回転してテント１１を収納する。
【００４３】
前記コントローラ１００はケース７におけるモータ４０近くに設けてあり、このコントローラ１００とモータ４０との配線が短く容易に配線作業できるようにしてある。
また、テント吹き上げ検出機構８０は前枠１０における長手方向モータ４０側の一端寄りに取付けてあり、このテント吹き上げ検出機構８０とコントローラとの配線が短く容易に配線作業できるようにしてある。
【００４４】
次に作動を説明する。
テント１１を張り出した状態で強風が作用しない場合にはテント１１の張力でピン９３がスプリング９４に孔して下方に移動して図１０の実線で示す下方位置である。
これによって、リミットスイッチ８２の可動片９５が図１０に実線で示す第１の姿勢となってリミットスイッチ８２がＯＦＦしている。
【００４５】
前述の状態で強風が作用してテント１１が吹き上げられるとピン９３がスプリング９４でテント１１の吹き上りに追従して上方に移動する。そしてテント１１が図９、図１０に仮想線で示す位置まで吹き上げられるとリミットスイッチ８２の可動片９５が仮想線で示す第２の姿勢となってリミットスイッチ８２がＯＮする。
【００４６】
リミットスイッチ８２のＯＮ信号がコントローラ１００に入力されるとモータ４０が一方向に駆動し、巻取りパイプ８が巻き取り回転する。これによって、テント１１が巻き取りされて収納される。
【００４７】
また、第２アーム５１は第１アーム５０に対して第１ピン５２の連結部においてガタによって若干下方に駆動しており、強風でテント１１が吹き上げられると第２アーム５１がガタ相当分だけ上方に揺動するが、この時もテント１１が吹き上る。より強い強風が作用すると第１アーム５０が上方に揺動してテント１１がさらに吹き上る。
【００４８】
したがって、テント１１はアーム９に作用する無理な力に見合う吹き上り量よりも前述のガタによる吹き上り量だけ余分に吹き上るので、リミットスイッチ８２がＯＮした時にアーム９に作用する無理な力が小さい。
【００４９】
前記リミットスイッチ８２は作動部８２ａが所定量作動するとＯＮ信号を出力するもので、その作動部８２ａとピン９３は離隔し、かつ可動片９５で連結されているから、リミットスイッチ８２の作動部８２ａを所定量作動するために要するピン９３の移動量が大きい。
これによって、テント１１がある程度以上吹き上げられた時にリミットスイッチ８２がＯＮするので、テント１１が振動等で振れ動いた時にリミットスイッチ８２がＯＮせずに強風が作用した時にリミットスイッチ８２がＯＮするから信頼性が向上する。
【００５０】
また、テント吹き上り検出機構８０は前枠１０の一側縦面１０ａに取付けてあるし、そのテント吹き上り検出機構８０の下面が前枠１０の下面よりも上であるので、外から日除け装置を見た時にテント吹き上り検出機構８０は前枠１０で隠蔽されて見えないから、日除け装置の外観が見栄えよい。
【００５１】
【発明の効果】
請求項１にかかる発明によれば、テント１１を張った状態で強風によりテント１１が所定量浮き上るとテント１１を自動的に収納できる。
また、テント吹き上り検出機構８０は前枠１０に取付けてあるし、テント１１はアーム９の折曲部よりも前方部分がガタによる上方への揺動量に見合うだけ吹き上げられた後にアーム９全体の上方への揺動によって更に吹き上げられるので、テント１１はアーム９に作用する無理な力に見合うよりも余分に吹き上げられる。
したがって、テント１１が所定量吹き上げられた時にアーム９に作用する無理な力が小さく、耐久性が向上する。
【００５２】
請求項２にかかる発明によれば、リミットスイッチ８２がＯＮする作動体の上下移動量が大きく、テントが振動などで僅かに振れ動いた時にはリミットスイッチ８２がＯＮしないので、信頼性が向上する。
【図面の簡単な説明】
【図１】本発明の実施の形態を示す日除け装置の平面図である。
【図２】取付ブラケット部分の縦断面図である。
【図３】中間ブラケット部分の縦断面図である。
【図４】ケースとベースプレートの分解斜視図である。
【図５】巻取りパイプとアームの分解斜視図である。
【図６】ベースプレートの取付状態を示す斜視図である。
【図７】日除けユニットの取付けを示す斜視図である。
【図８】サイドカバーの取付けを示す側面図である。
【図９】テント吹き上げ検出機構の縦断面図である。
【図１０】図９のＢ−Ｂ断面図である。
【図１１】モータ制御部の説明図である。
【符号の説明】
８…巻取りパイプ、９…アーム、１０…前枠、１１…テント、４０…モータ、８０…テント吹き上り検出機構、８１…取付体、８２…リミットスイッチ、８２ａ…作動部、９３…ピン（作動体）、９４…スプリング、９５…可動片、１００…コントローラ。
【図１】
0003837648.tif 000002
【図２】
0003837648.tif 000003
【図３】
0003837648.tif 000004
【図４】
0003837648.tif 000005
【図５】
0003837648.tif 000006
【図６】
0003837648.tif 000007
【図７】
0003837648.tif 000008
【図８】
0003837648.tif 000009
【図９】
0003837648.tif 000010
【図１０】
0003837648.tif 000011
【図１１】
0003837648.tif 000012